(57)【要約】【課題】雄ハウジングと雌ハウジングとを固着するためのロック機構が雄ハウジングの外側に設けられているコネクタにおいて、ロックが外力によって変形・破損する事態を確実に回避する。【解決手段】雄ハウジング２のこじり防止リブ２５にはロック２７が突設されており、雌ハウジング３のリブ係合溝３３にはビーク３６が突設されている。これにより、雄ハウジング２と雌ハウジング３とを嵌合させると、ロック２７とビーク３６とが雄ハウジング２の内側で嵌合する。その結果、ロック２７は、外力の影響を完全に受けない状態となり、外力によって変形・破損する事態は確実に回避される。【選択図】図４
2009021094.tif 000002
【特許請求の範囲】
【請求項１】
複数個の端子収容室を備えた第１のハウジングと、
前記端子収容室に収容された端子に接続される相手側端子を収容し、前記第１のハウジングと嵌合する第２のハウジングとからなるコネクタであって、
前記第１のハウジングには、こじり防止リブが前記複数個の端子収容室の間で嵌合方向に突出して形成され、
前記第２のハウジングには、前記こじり防止リブが挿入されるリブ係合溝が設けられ、
前記こじり防止リブは、その側部に撓み変形可能なロックアームを備え、
このロックアームには、係止部が形成され、
前記リブ係合溝は、前記こじり防止リブが挿入された際に前記ロックアームが位置する側の内壁に前記係止部と係合する係合部を備えていることを特徴とするコネクタ。
【請求項２】
前記こじり防止リブは、前記第１のハウジングの中心からオフセットしていることを特徴とする請求項１に記載のコネクタ。
【発明の詳細な説明】
【技術分野】
【０００１】
本発明は、雄ハウジングと雌ハウジングとを固着するためのロック機構が雄ハウジングの外側に設けられているコネクタに関するものである。
【背景技術】
【０００２】
図８は従来のコネクタを例示する斜視図である。
【０００３】
従来、この種のコネクタ１においては、図８に示すように、ハウジング７に外装されたロック５を外力から保護するため、ブリッジや保護壁などのロック保護部材６を設けていた（例えば、特許文献１参照）。
【特許文献１】特開平２−１１２１８０号公報（図４）
【発明の開示】
【発明が解決しようとする課題】
【０００４】
しかし、これでは、基本的にロック５がハウジング７の外側に露呈しているため、このロック５は、ロック保護部材６で保護されていても、外力の影響を完全に受けないとは断言できない。したがって、ロック５が外力によって変形・破損する事態を確実に回避しうると保証することができないという課題があった。
【０００５】
本発明は、こうした課題を解決することが可能なコネクタを提供することを目的とする。
【課題を解決するための手段】
【０００６】
まず、請求項１に係るコネクタの発明では、複数個の端子収容室を備えた第１のハウジングと、前記端子収容室に収容された端子に接続される相手側端子を収容し、前記第１のハウジングと嵌合する第２のハウジングとからなるコネクタであって、前記第１のハウジングには、こじり防止リブが前記複数個の端子収容室の間で嵌合方向に突出して形成され、前記第２のハウジングには、前記こじり防止リブが挿入されるリブ係合溝が設けられ、前記こじり防止リブは、その側部に撓み変形可能なロックアームを備え、このロックアームには、係止部が形成され、前記リブ係合溝は、前記こじり防止リブが挿入された際に前記ロックアームが位置する側の内壁に前記係止部と係合する係合部を備えていることを特徴とする。
また、請求項２に係るコネクタの発明では、前記こじり防止リブは、前記第１のハウジングの中心からオフセットしていることを特徴とする。
【発明の効果】
【０００７】
本発明によれば、係止部と係合部との嵌合がハウジングの内側で行われるため、係止部および係合部が外力の影響を完全に受けない状態となる。その結果、係止部や係合部が外力によって変形・破損する事態を確実に回避することができる。
また、こじり防止リブが第１のハウジングの中心からオフセットしていると、第１のハウジングと第２のハウジングとの誤結を未然に防止することができる。
【発明を実施するための最良の形態】
【０００８】
以下、本発明の実施形態を図面に基づいて説明する。
【０００９】
＜第１の実施形態＞
図１は本発明に係るコネクタの第１の実施形態を示す斜視図、図２は図１に示すコネクタを垂直面で半分に切断した状態を示す斜視図、図３は図２に示すコネクタを反対側（雌ハウジング側）から見た状態を示す斜視図、図４は図１に示すコネクタを水平面で半分に切断した状態を示す斜視図、図５は図４に示すコネクタの雄ハウジングと雌ハウジングとが嵌合した状態を示す斜視図である。
【００１０】
コネクタ１は、図１に示すように、合成樹脂製の雄ハウジング（第１のハウジング）２と、この雄ハウジング２に対して矢印Ａ、Ｂ方向に嵌合する合成樹脂製の雌ハウジング（第２のハウジング）３とから構成されている。
【００１１】
ここで、雄ハウジング２は、図１に示すように、ブロック状の本体２１を有しており、本体２１には６個の端子収容室２２が、２段３列で互いに平行に並ぶ形で矢印Ａ、Ｂ方向に貫通して形成されている。また、本体２１の前部には、四角筒状のフード部２３が一体に形成されているとともに、図２、３に示すように、このフード部２３に包囲される形で
四角柱状のこじり防止リブ２５が上下２段の端子収容室２２の間で前方（雌ハウジング３側）に向けて矢印Ａ、Ｂ方向、つまり嵌合方向に突出して形成されている。なお、こじり防止リブ２５は雄ハウジング２の中心からオフセットして形成されている。また、こじり防止リブ２５には、図４に示すように、その中央部にスリット２６が矢印Ａ、Ｂ方向に形成されているとともに、左右両側部にそれぞれ、撓（たわ）み変形可能なロックアーム２８が、矢印Ａ、Ｂ方向に延伸して本体２１に達する形で形成されている。さらに、各ロックアーム２８の外側にはそれぞれロック２７が係止部として横向きに突設されている。
【００１２】
一方、雌ハウジング３は、図１に示すように、ブロック状の本体３１を有しており、本体３１には６個の端子収容室３２が、２段３列で互いに平行に並ぶ形で矢印Ａ、Ｂ方向に貫通して形成されている。また、本体３１の中央部には、図１〜４に示すように、リブ係合溝３３が矢印Ａ、Ｂ方向に穿設されている。リブ係合溝３３には、図２、４に示すように、その中央部に四角柱状のリブガイド３５が形成されているとともに、左右両側の内壁にそれぞれビーク３６が係合部として横向きに突設されている。
【００１３】
コネクタ１は以上のような構成を有するので、雄ハウジング２と雌ハウジング３とを嵌合させる際には、次の手順による。
【００１４】
まず、端子収容工程で、雄ハウジング２の端子収容室２２に端子（図示せず）を挿通して収容するとともに、雌ハウジング３の端子収容室３２に相手側端子（図示せず）を挿通して収容する。
【００１５】
次に、リブ係合工程に移行し、雄ハウジング２と雌ハウジング３とを互いに矢印Ａ、Ｂ方向に近づけ、こじり防止リブ２５をリブ係合溝３３に差し込む。このとき、こじり防止リブ２５にスリット２６が設けられているとともに、リブ係合溝３３にリブガイド３５が設けられているので、リブ係合溝３３に対するこじり防止リブ２５の差し込み作業は円滑に行われる。また、こじり防止リブ２５は雄ハウジング２の中心からオフセットしているため、雌ハウジング３に対して雄ハウジング２が誤って上下反転している場合は、こじり防止リブ２５をリブ係合溝３３に差し込めないことから、雄ハウジング２と雌ハウジング３との誤結を未然に防止することが可能となる。
【００１６】
こうして、こじり防止リブ２５がリブ係合溝３３に差し込まれると、図５に示すように、各ロック２７が各ビーク３６に係合するため、雄ハウジング２と雌ハウジング３とが固着（ロック）された状態となる。
【００１７】
ここで、雄ハウジング２と雌ハウジング３との嵌合作業が終了する。
【００１８】
このように、ロック２７は、雄ハウジング２の内側に位置しており、雄ハウジング２の外側に露呈していないため、ロック２７とビーク３６との嵌合は雄ハウジング２の内側で行われる。その結果、ロック２７は、外力の影響を完全に受けない状態となり、外力によって変形・破損する事態を確実に回避することができる。
【００１９】
＜第２の実施形態＞
図６は本発明に係るコネクタの第２の実施形態を示す斜視図、図７は図６に示すコネクタを垂直面で半分に切断した状態を示す斜視図である。
【００２０】
なお、上述した第１の実施形態においては、雄ハウジング２と雌ハウジング３とのロック機構としてロック２７およびビーク３６が設けられているだけのコネクタ１について説明したが、さらに、図６、７に示すように、メインロック３７および係合突起２９を設けるようにしても構わない。
【００２１】
すなわち、このコネクタ１は、図６、７に示すように、第１の実施形態と同じ構成を有することに加えて、雌ハウジング３の本体３１の上面にメインロック３７が設けられているとともに、雄ハウジング２のフード部２３の上面に係合突起２９が設けられている。なお、第１の実施形態と同一の部分については、同一の符号を付してその説明を省略する。
【００２２】
コネクタ１は以上のような構成を有するので、雄ハウジング２と雌ハウジング３とを嵌合させる際には、第１の実施形態と同様、端子収容工程およびリブ係合工程を経る。
【００２３】
そして、リブ係合工程において、こじり防止リブ２５がリブ係合溝３３に差し込まれると、各ロック２７が各ビーク３６に係合すると同時に、メインロック３７が係合突起２９に係合する。そのため、各ロック２７が各ビーク３６に係合するに過ぎない第１の実施形態と比べて、雄ハウジング２と雌ハウジング３とが一層強固に固着（ロック）された状態となる。
【００２４】
＜その他の実施形態＞
なお、上述した第１、２の実施形態においては、雄ハウジング２および雌ハウジング３に６個ずつの端子収容室２２、３２を備えたコネクタ１について説明したが、これら端子収容室２２、３２の個数は、６個に限るわけではなく、何個でも構わない。
【００２５】
なお、上述した第１、２の実施形態においては、雄ハウジング２にロック２７が設けられているとともに、雌ハウジング３にビーク３６が設けられているコネクタ１について説明したが、逆に、雌ハウジング３にロック２７を設けるとともに、雄ハウジング２にビーク３６を設けるようにしてもよい。
【００２６】
なお、上述した第１、２の実施形態においては、係止部としてロック２７を採用し、係合部としてビーク３６を採用したコネクタ１について説明した。しかし、ロック２７以外の係止部を代用したり、ビーク３６以外の係合部を代用したりすることも可能である。
【産業上の利用可能性】
【００２７】
本発明は、自動車、航空機、電車、製造プラント、電化製品、ＯＡ機器など各種の産業分野に広く適用することができる。
【図面の簡単な説明】
【００２８】
【図１】本発明に係るコネクタの第１の実施形態を示す斜視図である。
【図２】図１に示すコネクタを垂直面で半分に切断した状態を示す斜視図である。
【図３】図２に示すコネクタを反対側（雌ハウジング側）から見た状態を示す斜視図である。
【図４】図１に示すコネクタを水平面で半分に切断した状態を示す斜視図である。
【図５】図４に示すコネクタの雄ハウジングと雌ハウジングとが嵌合した状態を示す斜視図である。
【図６】本発明に係るコネクタの第２の実施形態を示す斜視図である。
【図７】図６に示すコネクタを垂直面で半分に切断した状態を示す斜視図である。
【図８】従来のコネクタを例示する斜視図である。
【符号の説明】
【００２９】
１……コネクタ
２……雄ハウジング（第１のハウジング）
２１……本体
２２……端子収容室
２３……フード部
２５……こじり防止リブ
２６……スリット
２７……ロック（係止部）
２８……ロックアーム
３……雌ハウジング（第２のハウジング）
３１……本体
３２……端子収容室
３３……リブ係合溝
３５……リブガイド
３６……ビーク（係合部）
６……ロック保護部材
７……ハウジング
【図１】
2009021094.tif 000003
【図２】
2009021094.tif 000004
【図３】
2009021094.tif 000005
【図４】
2009021094.tif 000006
【図５】
2009021094.tif 000007
【図６】
2009021094.tif 000008
【図７】
2009021094.tif 000009
【図８】
2009021094.tif 000010